(57)【要約】  検査オーダ情報に基づいて撮影された一連の画像データを一定の順序で表示できるようにする。  本発明に係る医用情報処理装置としての検像装置３によれば、画像生成装置としてのモダリティから受信された画像データが検査ＩＤに基づいて検査オーダ情報毎に分類され、同一検査オーダ情報に基づき撮影された各画像データの付帯情報に含まれる検査情報が取得され、取得された各検査情報が表示用変換テーブル３６１に基づいてコード変換され、変換されたコードが昇順にソートされる。そして、ソート結果に対応する順序で各画像データに検像待ちリスト番号が付与されて検像待ち画像記憶部３６２に順次追加登録されるとともに、検像待ち画像記憶部３６２に格納された画像データの付帯情報を検像待ちリスト番号順に一覧にした検像待ちリストが生成され、表示部３３に表示される。
2007116898.tif 000002
【特許請求の範囲】
【請求項１】
検査オーダ情報に基づいて医用画像を生成するとともに、前記生成された医用画像に対し、前記検査オーダ情報を識別するための識別情報、当該医用画像に関する患者情報及び検査情報を含む付帯情報を付帯させる一以上の画像生成装置に接続され、前記画像生成装置において生成された医用画像を表示する表示手段とを備えた医用情報処理装置であって、
前記一以上の画像生成装置で生成された医用画像及びその付帯情報を受信する受信手段と、
前記受信手段により受信された医用画像を、同一の検査オーダ情報に基づいて生成された医用画像毎に分類し、同一検査オーダ情報に基づいて生成された各医用画像に付帯された検査情報を予め定められた順序でソートするソート手段と、
前記ソート結果に対応する順序で、前記一以上の画像生成装置において前記同一検査オーダ情報に基づいて生成された一連の医用画像または当該一連の医用画像のリストを前記表示手段に表示する制御手段と、
を備えたことを特徴とする医用情報処理装置。
【請求項２】
前記検査情報を当該検査情報の内容を示すコードに変換するための変換テーブルを記憶する変換テーブル記憶手段と、
前記変換テーブルに基づいて、前記同一検査オーダ情報に基づいて生成された各医用画像に付帯された検査情報をそれぞれコード変換するコード変換手段を更に備え、
前記ソート手段は、前記コード変換手段により変換されたコードを昇順にソートすることにより、前記検査情報をソートすることを特徴とする請求の範囲第１項に記載の医用情報処理装置。
【請求項３】
前記検査情報は、検査内容を特定するための画像生成装置情報、撮影部位情報、撮影方向情報、体位情報及び左右情報を含んで構成され、
前記画像生成装置情報のソート順位を示すテーブルと、前記撮影部位情報のソート順位を示すテーブルと、前記撮影方向情報、体位情報及び左右情報の組み合わせのソート順位を示すテーブルとを記憶するソート順位テーブル記憶手段を備え、
前記ソート手段は、前記同一検査オーダ情報に基づいて生成された各医用画像に付帯された検査情報を前記ソート順位テーブル記憶手段に記憶されたテーブルに基づいてソートすることを特徴とする請求の範囲第１項に記載の医用情報処理装置。
【発明の詳細な説明】
【技術分野】
【０００１】
本発明は、医用情報処理装置に関し、特に、検査オーダ情報に基づき画像生成装置において生成された医用画像及びその付帯情報を表示手段に表示して、検像者が医用画像及びその付帯情報の確認及び修正を行うための医用情報処理装置（以下、検像装置と称する）に関する。
【背景技術】
【０００２】
医療の分野では、患者を撮影した医用画像のデジタル化が実現されており、ＣＲ（Computed Radiography）装置やＣＴ（Computed Tomography）装置、ＭＲＩ（Magnetic Resonance Imaging）装置等の各種画像生成装置（モダリティ）により撮影され、デジタル化された医用画像の画像データを、検査（撮影）対象の患者の患者情報や検査情報（検査に用いたモダリティ情報、撮影部位情報、撮影方向情報、撮影日付等）の付帯情報とともにＰＡＣＳ（Picture Archiving and Communication System for medical application）のデータベースに保存したり、医師による診断のために画像表示装置に表示したりする医用画像システムが利用されている。【０００３】
モダリティにおいて生成された画像データをＰＡＣＳや画像表示装置で受信して、画像データベースに保存したり、画像表示装置に表示したりする場合、従来、画像データの受信順に行われるのが一般的である。しかしながら、画像データの受信順は、必ずしも医用画像を閲覧する者にとって効率よく作業ができる表示順序と一致するわけではない。【０００４】
そこで、例えば、特許文献１には、ＭＲＩ装置やＣＴ装置を用いた一連の撮影において収集される画像の表示態様を変更する技術が記載されている。
【特許文献１】特開２００４−３３７３４７号公報
【発明の開示】
【発明が解決しようとする課題】
【０００５】
ところで、モダリティにおいて撮影を行う際には、ＲＩＳ（Radiological Information System）やＨＩＳ（Hospital Information System）で登録された検査オーダ情報に従って撮影が行われる。検査オーダ情報は、一般的に、同一患者に対して同日に行う一連の検査に対して一つ登録されるものである。一連の検査のパターンは、検査する部位や症例によって医療施設毎にある程度定められているが、検査パターンによっては、一つの検査オーダ情報に対し、モダリティ、撮影部位、撮影方向等の組み合わせが異なる複数の検査情報が含まれることもある。【０００６】
従って、一連の検査がパターン化されていても、検査（撮影）の現場では、患者が複数のモダリティ間を行き来したり、複数のモダリティで複数の患者に対する撮影が同時に行われたりすることも少なくなく、画像データの受信順に画像を表示すると、予め定められた検査パターンで撮影された一連の医用画像であっても画像表示順が一定とならず、また、異なる患者の画像が混在することもありうる。【０００７】
近年、ＲＩＳやＨＩＳから検査オーダ情報を受信するとともに、モダリティから画像データを受信し、一つの検査オーダ情報に対して一連の画像が漏れなく撮影されたかを確認したり、検査オーダ情報と付帯情報との整合性を確認したり、生成された画像の画質を確認したりするための検像装置が提案されているが、検像装置において、上述のように、画像データの受信順に画像を表示すると、予め定められた検査パターンで撮影された一連の医用画像であっても画像表示順が一定とならず、また、異なる患者の画像が混在することもあるため、作業を行う検像者は、画像を入れ替えたりする操作が必要となり、手間がかかる。【０００８】
上述の特許文献１の技術は、モダリティ別に画像データの表示順序を規定し、変更するものであるため、当該技術を適用しても、一つの検査オーダ情報に対して撮影される一連の画像についての表示順序に関する上記問題点を解決することはできない。【０００９】
本発明の課題は、検査オーダ情報に基づいて撮影された一連の画像データを一定の順序で表示できるようにすることである。
【課題を解決するための手段】
【００１０】
本発明は、第１の側面によると、
検査オーダ情報に基づいて医用画像を生成するとともに、前記生成された医用画像に対し、前記検査オーダ情報を識別するための識別情報、当該医用画像に関する患者情報及び検査情報を含む付帯情報を付帯させる一以上の画像生成装置に接続され、前記画像生成装置において生成された医用画像を表示する表示手段とを備えた医用情報処理装置であって、
前記一以上の画像生成装置で生成された医用画像及びその付帯情報を受信する受信手段と、
前記受信手段により受信された医用画像を、同一の検査オーダ情報に基づいて生成された医用画像毎に分類し、同一検査オーダ情報に基づいて生成された各医用画像に付帯された検査情報を予め定められた順序でソートするソート手段と、
前記ソート結果に対応する順序で、前記一以上の画像生成装置において前記同一検査オーダ情報に基づいて生成された一連の医用画像または当該一連の医用画像のリストを前記表示手段に表示する制御手段と、
を備えたことを特徴としている。【００１１】
前記検査情報を当該検査情報の内容を示すコードに変換するための変換テーブルを記憶する変換テーブル記憶手段と、
前記変換テーブルに基づいて、前記同一検査オーダ情報に基づいて生成された各医用画像に付帯された検査情報をそれぞれコード変換するコード変換手段を更に備え、
前記ソート手段は、前記コード変換手段により変換されたコードを昇順にソートすることにより、前記検査情報をソートすることが好ましい。【００１２】
前記検査情報は、検査内容を特定するための画像生成装置情報、撮影部位情報、撮影方向情報、体位情報及び左右情報を含んで構成され、
前記画像生成装置情報のソート順位を示すテーブルと、前記撮影部位情報のソート順位を示すテーブルと、前記撮影方向情報、体位情報及び左右情報の組み合わせのソート順位を示すテーブルとを記憶するソート順位テーブル記憶手段を備え、
前記ソート手段は、前記同一検査オーダ情報に基づいて生成された各医用画像に付帯された検査情報を前記ソート順位テーブル記憶手段に記憶されたテーブルに基づいてソートすることが好ましい。
【発明の効果】
【００１３】
本発明の第１の側面によれば、検査オーダ情報単位の一連の医用画像及びそのリストが予め定められた一定の順序で表示されるので、予め定められた検査パターンで撮影された一連の医用画像の画像又はリストが常に一定の順序で表示されることとなり、撮影された医用画像を表示して確認等を行う作業者は、医用画像やリストの表示順序を入れ替える操作をしなくても一の検査オーダ情報に対する全ての検査が行われたか否かを容易に把握することが可能となり、また、一定の順序で一連の画像の確認を行うことが可能となり、作業効率を向上させることができる。
【図面の簡単な説明】
【００１４】
【図１】本発明の実施の形態における医用画像システムの全体構成例を示す図である。
【図２】図１に示す検像装置の機能的構成を示すブロック図である。
【図３】ＪＪ１０１７  Ｖｅｒ．３．０コードのデータ構造を示す図である。
【図４】図２に示す記憶部に記憶される表示用変換テーブルのデータ構成例を示す図である。
【図５Ａ】図１に示す医用画像システムを構成する各装置間におけるデータの処理及び流れを示すフロー図である。
【図５Ｂ】図１に示す医用画像システムを構成する各装置間におけるデータの処理及び流れを示すフロー図である。
【図６】図２に示すＣＰＵにより実行される画像表示順並び替え処理を示すフローチャートである。
【図７】図２に示す表示部に表示される検像待ちリストの一例を示す図である。
【図８Ａ】図２に示す記憶部に記憶される表示用変換テーブルのデータ構成例を示す図である。
【図８Ｂ】図８Ａに示すモダリティ表示順テーブル３６４ａのデータ構成例を示す図である。
【図８Ｃ】図８Ａに示す部位表示順テーブル３６４ｂのデータ構成例を示す図である。
【図８Ｄ】図８Ａに示す方向表示順テーブル３６４ｃのデータ構成例を示す図である。
【図９】図２に示すＣＰＵにより実行される画像表示順並び替え処理Ｂを示すフローチャートである。
【発明を実施するための最良の形態】
【００１５】
以下、図１から図９を参照しながら本発明に係る医用画像システムの実施形態について説明する。ただし、本発明は図示例のものに限定されるものではない。【００１６】
〔第１の実施の形態〕
まず、第１の実施の形態の構成を説明する。
図１に、第１の実施の形態における医用画像システム１００のシステム構成を示す。
図１に示すように、医用画像システム１００は、ＲＩＳ１、モダリティ２（２ａ〜２ｃ）、検像装置３、ＰＡＣＳ４、画像表示装置５がＬＡＮ（Local Area Network）、ＷＡＮ（Wide Area Network）等の通信ネットワークＮを介して相互にデータの送受信が可能に接続されて構成されている。【００１７】
以下、医用画像システム１００を構成する各装置について説明する。
ＲＩＳ１は、放射線科内の情報を管理する放射線科情報システムであり、オペレータによる検査オーダ情報（例えば、検査対象の患者を識別するための患者ＩＤ、氏名、性別等の患者に関する患者情報や、医用画像の検査（撮影）に用いるモダリティ情報（例えば、ＣＴ、ＣＲ、ＭＲＩ・・・）、撮影方法（手技）情報（例えば、Ｘ線単純撮影、Ｘ線透視検査、・・・）、撮影部位情報（例えば、胸部、腹部、・・・）、撮影方向情報（例えば、正面、側面、・・・）、体位情報（例えば、立位、臥位、・・・）、左右情報（例えば、右、左、・・・）等の検査に関する検査情報等）の登録を受け付けて検査オーダ情報を生成し、当該生成された検査オーダ情報に、その検査オーダ情報の識別情報である検査ＩＤを付して管理するものである。検査オーダ情報は、一の患者情報と、一又は関連する複数の検査に関する検査情報が含まれる。例えば、ある患者に対して行う検査がＣＲ装置２ｂによる胸部臥位正面の撮影による検査のみである場合、検査オーダ情報に含まれる検査情報は１つとなる。ある患者に対して行う検査がＣＲ装置２ｂによる胸部臥位正面の撮影と、ＣＴ装置２ａによる胸部臥位の撮影である場合は、検査オーダ情報に含まれる検査情報は２つとなる。ＲＩＳ１は、生成された検査オーダ情報を、当該検査オーダ情報のモダリティ情報により指定されたモダリティ２、及び検像装置３に送信する。【００１８】
なお、本実施形態では、ＲＩＳ１により生成された検査オーダ情報をモダリティ２、検像装置３に送信することとするが、検査オーダ情報の発行受付を行う受付端末により検査オーダ情報を生成し、モダリティ２に送信するようにしてもよい。【００１９】
モダリティ２は、患者を撮影し医用画像の画像データを生成する画像生成装置である。本実施の形態においては、医用画像システム１００は、モダリティ２としてＣＴ装置２ａ、ＣＲ装置２ｂ、ＭＲＩ装置２ｃを備える構成とするが、内視鏡装置、超音波診断装置等、様々な種類の医用画像を撮影するモダリティが適用可能である。【００２０】
モダリティ２は、ＲＩＳ１で生成された検査オーダ情報に従って、患者を撮影しその医用画像の画像データを生成する。そして、生成された医用画像の画像データに、ＲＩＳ１から受信された当該医用画像に対応する検査オーダ情報の検査ＩＤと、その検査オーダ情報のうち、その医用画像を特定するための、患者情報、検査情報を含む情報を付帯情報として付帯させて検像装置３に送信する。【００２１】
モダリティ２から検像装置３へ送信される画像データ及びその付帯情報は、例えば、画像部及びヘッダ部を有するＤＩＣＯＭファイルで送信される。画像部には画像データが、ヘッダ部に画像データに関する付帯情報（検査ＩＤ、患者情報、検査情報等）が書き込まれている。【００２２】
検像装置３は、ＲＩＳ１から送信された検査オーダ情報を受信するとともに、モダリティ２で生成された医用画像の画像データを受信し、受信された医用画像及び付帯情報を表示部３３に表示して、入力部３２を介して検像者が医用画像及びその付帯情報の確認及び修正を行うための医用情報処理装置である。【００２３】
図２に、検像装置３の内部構成を示す。
図２に示すように、検像装置３は、ＣＰＵ３１、入力部３２、表示部３３、通信部３４、ＲＡＭ３５、記憶部３６等を備えて構成されており、各部はバス３７により接続されている。【００２４】
ＣＰＵ３１は、記憶部３６に記憶されているシステムプログラムや処理プログラム等の各種プログラムを読み出してＲＡＭ３５に展開し、展開されたプログラムに従って、図５Ａ〜図５Ｂに示す検像装置３側処理や図６に示す画像表示順並び替え処理を始めとする各種処理を実行する。【００２５】
入力部３２は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ３１に出力する。【００２６】
表示部３３は、例えば、ＣＲＴ（Cathode Ray Tube）やＬＣＤ（Liquid Crystal Display）等のモニタを備えて構成されており、ＣＰＵ３１から入力される表示信号の指示に従って、各種画面を表示する。【００２７】
通信部３４は、ネットワークインターフェース等により構成され、通信ネットワークＮに接続された外部機器との間でデータの送受信を行う。即ち、通信部３４は受信手段として機能する。【００２８】
ＲＡＭ３５は、ＣＰＵ３１により実行制御される各種処理において、記憶部３６から読み出されたＣＰＵ３１で実行可能な各種プログラム、入力若しくは出力データ、及びパラメータ等の一時的に記憶するワークエリアを形成する。また、ＲＡＭ３５は、ＲＩＳ１から受信された検査オーダ情報を格納する検査オーダ情報領域３５１、モダリティ２から受信された医用画像の画像データを格納する画像領域３５２を形成する。【００２９】
記憶部３６は、ＨＤＤ（Hard Disc）や半導体の不揮発性メモリ等により構成される。記憶部３６には、ＣＰＵ３１で実行されるシステムプログラムや、画像表示順並び替え処理プログラムを始めとする各種プログラムが記憶されている。【００３０】
また、記憶部３６は、変換テーブル記憶手段として、モダリティ２から送信された医用画像の付帯情報に含まれる検査情報を画像表示順並び替えのためのコードに変換するための表示用変換テーブル３６１を記憶している。画像表示順並び替えのためのコードは、「モダリティ」を特定するコード、「手技」を特定するコード、「部位（撮影部位）」を特定するコード、「左右」を特定するコード、「体位」を特定するコード、「撮影方向」を特定するコードの組み合わせを含んで構成されるコードである。本実施の形態においては、画像表示順並び替えのためのコードとして、ＲＩＳ／ＨＩＳ−モダリティ間の互換のために標準化が進められているＪＪ１０１７  Ｖｅｒ．３．０コードを用いる。【００３１】
図３に、ＪＪ１０１７  Ｖｅｒ．３．０コードのデータ構造を示す。図３において、数字は、桁番号を示し、数字の上の文字は、各桁のコードが示す情報を示している。図３に示すように、ＪＪ１０１７  Ｖｅｒ．３．０コードは、３２桁のコードであり、前半１６桁（ＪＪ１０１７−Ｍ）の１〜２桁目には「モダリティ」を特定するためのコード、３〜４桁目には「手技」の大分類を特定するためのコード、５〜６桁目には「手技」の小分類を特定するためのコード、９〜１１桁目には「部位」を特定するためのコード、１２桁目には「左右」を特定するためのコード、が配置されて構成され、後半１６桁（ＪＪ１０１７−Ｓ）の１桁目には「体位」を特定するためのコード、２〜３桁目には「撮影方向」を特定するためのコード、がそれぞれ配置されて構成される。【００３２】
図４に、表示用変換テーブル３６１のデータ構成例を示す。図４に示すように、表示用変換テーブル３６１は、検査情報に含まれるモダリティ情報、撮影部位情報、撮影方法情報、左右情報、体位情報、撮影方向情報の組み合わせの文字列と、ＪＪ１０１７  Ｖｅｒ．３．０コードの「モダリティ」「部位」「手技」「左右」「体位」「撮影方向」の組み合わせのコード値が対応付けられてテーブル化されたものである。なお、「モダリティ」「部位」「手技」「左右」「体位」「撮影方向」の組み合わせのうち、実際の検査で使用される組み合わせパターンは決まっているため、実際の検査で使用される組み合わせ及びその組み合わせに相当するコード値が対応付けられてテーブル化されている。【００３３】
ＰＡＣＳ４は、画像ＤＢ（Data Base）を備え、モダリティ２から送信された医用画像の画像データ及びその付帯情報を画像ＤＢに保存する。また、画像表示装置５からの要求に応じて、画像データを画像ＤＢから読み出して、要求元の画像表示装置５に配信する。【００３４】
画像表示装置５は、医師が検像装置３またはＰＡＣＳ４から配信された医用画像の画像データを表示し、読影診断をすることを目的として設置されるＰＣ（Personal Computer）等の端末装置である。【００３５】
次に、動作について説明する。
図５Ａ〜図５Ｂは、医用画像システム１００を構成する各装置間におけるデータの処理及び流れを示すフロー図である。以下、図５Ａ〜図５Ｂを参照して、医用画像システム１００を構成する各装置間におけるデータの処理及び流れについて説明する。【００３６】
まず、ＲＩＳ１において検査オーダ情報が登録されて生成され（ステップＳ１）、生成された検査オーダ情報が、当該検査オーダ情報に含まれるモダリティ情報により撮影に用いるモダリティとして指定されているモダリティ２及び検像装置３に送信される（ステップＳ２、ステップＳ３）。【００３７】
モダリティ２においては、ＲＩＳ１からの検査オーダ情報が受信されると、受信された検査オーダ情報に基づいて患者の撮影部位の撮影が行われて医用画像の画像データが生成され（ステップＳ４）、生成された画像データのヘッダ部に、検査オーダ情報に基づいて、患者情報及び当該画像データに関する検査情報が付帯情報として書き込まれ（ステップＳ５）、付帯情報が付帯された画像データが検像装置３に送信される（ステップＳ６）。【００３８】
検像装置３においては、ＲＩＳ１から送信された検査オーダ情報及びモダリティ２から送信された画像データが受信されると、受信された医用画像の画像データが検像待ち画像記憶部３６２に追加され、検像待ち画像記憶部３６２に記憶されている検像待ち画像のリスト（検像待ちリスト）が表示部３３に表示される（ステップＳ７）。入力部３２を介して検像待ちリストから検像対象となる医用画像が選択されると、選択された医用画像及びその付帯情報の表示と、対応する検査オーダ情報の表示とを含む検像画面が表示され、検像者による検像が行われる（ステップＳ８）。検像とは、検像者が検像画面を参照し、医用画像の画質やポジショニングの確認、医用画像に対応する検査オーダ情報と当該医用画像の付帯情報との整合性の確認を行い、必要に応じて、入力部３２を介して検像画面から画像の濃度、コントラスト調整、付帯情報の修正等を行うことである。【００３９】
検像済みの画像データ（付帯情報を含む）は、ＰＡＣＳ４に送信され（ステップＳ９）、画像ＤＢに保存される（ステップＳ１０）。或いは、検像済みの画像データは画像表示装置５に送信され（ステップＳ１１）、表示画面上に表示され（ステップＳ１２）、医師による読影診断に供される（ステップＳ１３）。【００４０】
ここで、ＲＩＳ１から登録、生成される検査オーダ情報は、上述したように、複数の検査情報を含む場合があり、この場合には、モダリティ２においては複数の医用画像の画像データが生成される。また、同一の検査オーダ情報にＣＴ装置２ａでの撮影、ＣＲ装置２ｂでの撮影、ＭＲＩ装置２ｃでの撮影が含まれる場合のように、同一の検査オーダ情報に対して複数台のモダリティ２により画像データが生成されることもある。従来、検像装置３や、検像装置３が設置されていないシステムにおけるＰＡＣＳ４や画像表示装置５においては、モダリティ２から画像データが受信されると、その受信順に画像（又は、画像のリスト）を表示していた。【００４１】
しかしながら、検査オーダ情報により指定される一連の検査のパターンは、検査する部位や症例によって医療施設毎にある程度決まっているが、一つの検査オーダ情報に対して複数のモダリティ２で撮影を行うこともあるため、患者が複数のモダリティ間を行き来したり、複数のモダリティで複数の患者に対する撮影が同時に行われたりすることも少なくなく、従って、検査パターンが決まっていても検査順序はその時々によって異なることが多い。そのため、画像データの受信順（即ち、検査順）に画像を表示すると、同一の検査パターンで撮影された一連の画像を表示する際の画像表示順が一定とならず、更には、異なる患者の画像が混在することもありうる。そのため、画像を確認する検像者や医師は、一の検査オーダ情報に対する全ての検査が行われたか否かを確認するために、或いは、画像確認（検像）効率を上げるために、検査オーダ情報を確認しながら画像表示順を入れ替える操作をしなければならず、画像自体を確認するのに先立って、余分な作業が必要となり、手間がかかっていた。【００４２】
そこで、本実施の形態においては、検像装置３において、図６に示す画像表示順並び替え処理を実行し、モダリティ２から受信された同一の検査オーダ情報に対する画像データを予め装置内で設定されている順序で並び替えて表示することにより、検像者が画像を確認する前に行う画像の表示順序を並び替える作業を不要とし、検像を効率的に行えるようにする。【００４３】
以下、図６を参照して画像表示順並び替え処理について説明する。当該処理は、ＣＰＵ３１と記憶部３６に記憶された画像表示順並び替え処理プログラムとの協働によるソフトウエア処理により実現される処理であり、当該処理の実行によりソート手段、制御手段、コード変換手段が実現される。【００４４】
なお、当該処理の前段として、通信部３４を介してＲＩＳ１から検査オーダ情報が受信されると、ＣＰＵ３１により、受信された検査オーダ情報が検査オーダ情報領域３５１に格納されるとともに、当該検査オーダ情報に対する画像データ、即ち、当該検査オーダ情報と同一検査ＩＤの画像データを格納するための画像領域が画像領域３５２に確保される。【００４５】
検像装置３において、通信部３４によりモダリティ２から医用画像の画像データが受信されると（ステップＳ１０１）、受信された画像データの付帯情報が参照され、付帯情報に含まれる検査ＩＤに基づいて、受信された画像データが検査オーダ情報に応じて分類される（ステップＳ１０２）。即ち、受信された画像データに対応する検査オーダ情報用に確保された画像領域に格納される。次いで、検査オーダ情報領域３５１に格納されている、受信された画像データに対応する検査オーダ情報に含まれる検査情報と、受信された画像データが分類された画像領域に格納されている各画像データの付帯情報とに基づいて、受信された画像データと同一の検査オーダ情報に対する全ての画像データが受信されたか否かが判断され（ステップＳ１０３）、全ての画像データが受信されたと判断されると（ステップＳ１０３；ＹＥＳ）、処理はステップＳ１０５に移行する。【００４６】
同一の検査オーダ情報に対する全ての画像データがまだ受信されていないと判断された場合（ステップＳ１０３；ＮＯ）、入力部３２から画像表示順の並び替え指示が入力されたか否かが判断され、画像表示順の並び替え指示が入力されていない場合は（ステップＳ１０４；ＮＯ）、処理はステップＳ１０１に戻る。入力部３２から画像表示順の並び替えが指示された場合は（ステップＳ１０４；ＹＥＳ）、処理はステップＳ１０５に移行する。なお、表示部３３には、例えば、検査オーダ情報に対応する画像データの受信状況の表示を指示するためのアイコンが表示される構成とし、検像者が入力部３２を介して当該アイコンを押下することにより受信状況の表示が指示されると、表示部３３に、画像データの受信が開始された検査オーダ情報及び受信開始時刻等が表示されることが好ましい。これにより、検像者は、全ての画像データが揃っていないものについても、受信開始時刻に基づき、検像を進めたほうがよいと判断する場合（例えば、受信開始時刻からｎ分以上（ｎは正の数）経過しても受信が終了しない場合等）には、入力部３２により画像表示順の並び替えを指示し、検像を進めることが可能となる。【００４７】
ステップＳ１０５においては、同一検査オーダ情報に基づき撮影された各画像データの付帯情報に含まれる検査情報がそれぞれ取得されてＲＡＭ３５のワークエリアに読み出され、データベース化される（ステップＳ１０５）。次いで、図４に示す表示用変換テーブル３６１が参照され、各検査情報が表示用変換テーブル３６１に基づいてコード変換され（ステップＳ１０６）、変換されたコードが昇順にソート（並び替え）される（ステップＳ１０７）。次いで、ソート結果に対応する順序で各画像データに検像待ちリスト番号が付与され、ソート結果に対応する順序で各画像データが順次検像待ち画像記憶部３６２に追加登録される（ステップＳ１０８）。検像待ち画像記憶部３６２に画像データが追加されると、検像待ち画像記憶部３６２に記憶されている画像データの付帯情報が取得され、取得した付帯情報を検像待ちリスト番号順に一覧にした検像待ちリストが生成されて表示部３３に表示され（ステップＳ１０９）、本処理は終了する。図７に、検像待ちリストを表示した画面の一例を示す。図７に示すように、検像待ちリストは、画像データの受信順ではなく、表示用変換テーブル３６１で定義されたコードの昇順に表示されている。【００４８】
画像表示順並び替え処理後、ＣＰＵ３１と記憶部３６に記憶されたプログラムとの協働により、検像者の操作に応じて以下の処理が実行される。即ち、検像者により入力部３２を介して検像待ちリスト順に検像対象の医用画像が選択されると、選択された医用画像の画像データが検像待ち画像記憶部３６２から読み出されて、当該選択された医用画像を検査するための検像画面（図示せず）が表示部３３に表示される。検像画面には、選択された医用画像が表示されるとともに、当該医用画像の付帯情報及びＲＩＳ１から受信された検査オーダ情報が表示される。検像画面には、表示された医用画像の濃度やコントラストを調整するための調整ボタン等が表示されており、検像者により入力部３２から調整ボタンが操作されると、操作に応じて表示された医用画像に画像処理が施される。また、検像画面においては、表示された付帯情報の修正が可能であり、検査オーダ情報と付帯情報の内容が一致しない場合等に、検像者により入力部３２から修正情報が入力されると、付帯情報が修正される。【００４９】
なお、検像画面においては、同一検査オーダ情報に基づいて撮影された一連の医用画像を一画面に表示することができる。この場合においても、同一検査オーダ情報の医用画像は、検像待ちリスト番号順に、即ち、表示用変換テーブル３６１で定義されたコードの昇順に表示される。【００５０】
以上説明したように、検像装置３によれば、モダリティ２から受信された画像データが検査ＩＤに基づいて検査オーダ情報毎に分類され、同一検査オーダ情報に基づき撮影された各画像データの付帯情報に含まれる検査情報が取得され、取得された各検査情報が表示用変換テーブル３６１に基づいてコード変換され、変換されたコードが昇順にソートされる。そして、ソート結果に対応する順序で各画像データに検像待ちリスト番号が付与されて検像待ち画像記憶部３６２に順次追加登録されるとともに、検像待ち画像記憶部３６２に格納された画像データの付帯情報を検像待ちリスト番号順に一覧にした検像待ちリストが生成され、表示部３３に表示される。【００５１】
従って、検査オーダ情報単位の一連の医用画像及びそのリストが予め定められた一定の順序で表示されるので、予め定められた検査パターンで撮影された一連の医用画像の画像又はリストが常に一定の順序で表示されることとなり、撮影された医用画像を表示して確認等を行う検像者は、医用画像やリストの表示順序を入れ替える操作をしなくても一の検査オーダ情報に対する全ての検査が行われたか否かを容易に把握することが可能となり、また、一定の順序で一連の画像の確認を行うことが可能となり、作業効率を向上させることができる。更に、検査オーダに対する検査漏れがある場合、何れの検査が漏れているかを検像者が迅速に特定し、撮影技師に対し検査もれの撮影を促すことが可能となり、後日に検査漏れの撮影を行うといった撮影技師、患者の双方の負担を軽減することが可能となる。【００５２】
〔第２の実施の形態〕
以下、図を参照して第２の実施の形態について説明する。
まず、第２の実施の形態の構成について説明する。
第２の実施の形態においては、記憶部３６に記憶される表示用変換テーブルの構成が第１の実施の形態で説明した構成と異なる。本実施の形態において、記憶部３６は、ソート順位テーブル記憶手段として、表示用変換テーブル３６４を記憶する。
図８Ａに、表示用変換テーブル３６４のデータ構成例を示す。図８Ａに示すように、第２の実施の形態においては、表示用変換テーブル３６４は、モダリティ表示順テーブル３６４ａ（図８Ｂ参照）、部位表示順テーブル３６４ｂ（図８Ｃ参照）、方向表示順テーブル３６４ｃ（図８Ｄ参照）等を備えて構成されている。モダリティ表示順テーブル３６４ａは、画像表示順並び替え処理Ｂ（図９参照）におけるソート時の順位の上位からモダリティ情報を配列したテーブルである。部位表示順テーブル３６４ｂは、画像表示順並び替え処理Ｂにおけるソート時の順位の上位から撮影部位情報を配列したテーブルである。方向表示順テーブル３６４ｃは、画像表示順並び替え処理Ｂにおけるソート時の順位の上位から撮影方向情報、体位情報及び左右情報の少なくとも一つを含む情報の組み合わせを配列したテーブルである。なお、各テーブル間の優先順位は、モダリティ表示順＞部位表示順＞方向表示順である。【００５３】
その他の構成は、第１の実施の形態で説明したのと同様であるので説明を省略する。【００５４】
次に、第２の実施の形態における動作について説明する。
第２の実施の形態における各装置におけるデータの処理及び流れについては、第１の実施の形態で説明したのと同様であるので説明を省略し、表示用変換テーブルが異なることにより、第１の実施の形態で説明した動作と異なる動作となる、画像表示順並び替え処理について説明する。【００５５】
図９に、第２の実施の形態における画像表示順並び替え処理Ｂを示す。以下、図９を参照して画像表示順並び替え処理Ｂについて説明する。当該処理は、ＣＰＵ３１と記憶部３６に記憶された画像表示順並び替え処理Ｂプログラムとの協働によるソフトウエア処理により実現される処理であり、当該処理の実行によりソート手段、制御手段が実現される。【００５６】
検像装置３において、通信部３４によりモダリティ２から医用画像の画像データが受信されると（ステップＳ２０１）、受信された画像データの付帯情報が参照され、付帯情報に含まれる検査ＩＤに基づいて、受信された画像データが検査オーダ情報に応じて分類される（ステップＳ２０２）。即ち、受信された画像データに対応する検査オーダ情報用に確保された画像領域に格納される。次いで、検査オーダ情報領域３５１に格納されている、受信された画像データに対応する検査オーダ情報に含まれる検査情報と、受信された画像データが分類された画像領域に格納されている各画像データの付帯情報とに基づいて、受信された画像データと同一の検査オーダ情報に対する全ての画像データが受信されたか否かが判断され（ステップＳ２０３）、全ての画像データが受信されたと判断されると（ステップＳ２０３；ＹＥＳ）、処理はステップＳ２０５に移行する。【００５７】
同一の検査オーダ情報に対する全ての画像データがまだ受信されていないと判断された場合（ステップＳ２０３；ＮＯ）、入力部３２から画像表示順の並び替え指示が入力されたか否かが判断され、画像表示順の並び替え指示が入力されていない場合は（ステップＳ２０４；ＮＯ）、処理はステップＳ２０１に戻る。入力部３２から画像表示順の並び替えが指示された場合は（ステップＳ２０４；ＹＥＳ）、処理はステップＳ２０５に移行する。なお、表示部３３には、例えば、検査オーダ情報に対応する画像データの受信状況の表示を指示するためのアイコンが表示される構成とし、検像者が入力部３２を介して当該アイコンを押下することにより受信状況の表示が指示されると、表示部３３に、画像データの受信が開始された検査オーダ情報及び受信開始時刻等が表示されることが好ましい。これにより、検像者は、全ての画像データが揃っていないものについても、受信開始時刻に基づき、検像を進めたほうがよいと判断する場合（例えば、受信開始時刻からｎ分以上（ｎは正の数）経過しても受信が終了しない場合等）には、入力部３２により画像表示順の並び替えを指示し、検像を進めることが可能となる。【００５８】
ステップＳ２０５においては、同一検査オーダ情報に基づき撮影された各画像データの付帯情報に含まれる検査情報のうち、モダリティ情報、撮影部位情報、撮影方向情報、体位情報、左右情報がそれぞれ取得されてＲＡＭ３５のワークエリアに読み出され、データベース化される（ステップＳ２０５）。次いで、表示用変換テーブル３６４が参照され、表示用変換テーブル３６４で定義された順位に従って、読み出された検査情報がソートされる（ステップＳ２０６）。次いで、ソート結果に対応する順序で各画像データに検像待ちリスト番号が付与され、ソート結果に対応する順序で各画像データが順次検像待ち画像記憶部３６２に追加登録される（ステップＳ２０７）。検像待ち画像記憶部３６２に同一検査オーダ情報の全ての画像データが追加されると、検像待ち画像記憶部３６２に記憶されている画像データの付帯情報が取得され、取得した付帯情報を検像待ちリスト番号順に一覧にした検像待ちリストが生成されて表示部３３に表示され（ステップＳ２０８）、本処理は終了する。【００５９】
画像表示順並び替え処理Ｂ後の検像装置３における処理は、第１の実施の形態で説明したのと同様である。検像画面においては、同一検査オーダ情報に基づいて撮影された一連の医用画像を一画面に表示することができる。この場合においても、同一検査オーダ情報の医用画像は、検像待ちリスト番号順に、即ち、表示用変換テーブル３６４で定義された順に表示される。【００６０】
以上説明したように、検像装置３によれば、モダリティ２から受信された画像データが検査ＩＤに基づいて検査オーダ情報毎に分類され、同一検査オーダ情報に基づき撮影された各画像データの付帯情報に含まれる検査情報が取得され、取得された各検査情報が表示用変換テーブル３６４に基づいてソートされる。そして、ソート結果に対応する順序で各画像データに検像待ちリスト番号が付与されて検像待ち画像記憶部３６２に順次追加登録されるとともに、検像待ち画像記憶部３６２に格納された画像データの付帯情報を検像待ちリスト番号順に一覧にした検像待ちリストが生成され、表示部３３に表示される。【００６１】
従って、検査オーダ情報単位の一連の医用画像及びそのリストが予め定められた一定の順序で表示されるので、予め定められた検査パターンで撮影された一連の医用画像の画像又はリストが常に一定の順序で表示されることとなり、撮影された医用画像を表示して確認等を行う検像者は、医用画像やリストの表示順序を入れ替える操作をしなくても一の検査オーダ情報に対する全ての検査が行われたか否かを容易に把握することが可能となり、また、一定の順序で一連の画像の確認を行うことが可能となり、作業効率を向上させることができる。更に、検査オーダに対する検査漏れがある場合、何れの検査が漏れているかを検像者が迅速に特定し、撮影技師に対し検査もれの撮影を促すことが可能となり、後日に検査漏れの撮影を行うといった撮影技師、患者の双方の負担を軽減することが可能となる。【００６２】
なお、上記実施の形態における記述内容は、本発明に係る医用画像システム１００の好適な一例であり、これに限定されるものではない。【００６３】
例えば、医用画像システム１００には、ＲＩＳ１〜画像表示装置５を備える構成としたが、プリンタ等を接続し、検像が終了した検像済みの画像データをプリンタに送信し、プリンタから医用画像を出力するようにしてもよい。【００６４】
その他、医用画像システム１００を構成する各装置の細部構成及び細部動作に関しても、本発明の趣旨を逸脱することのない範囲で適宜変更可能である。【００６５】
なお、明細書、請求の範囲、図面及び要約を含む２００６年４月６日に出願された日本特許出願Ｎｏ．２００６−１０５３２１号の全ての開示は、そのまま本出願の一部に組み込まれる。
【産業上の利用可能性】
【００６６】
医療の分野において、画像生成装置において生成された医用画像及びその付帯情報の確認及び修正を行うための医用情報処理装置に適用できる。
【符号の説明】
【００６７】
１００  医用画像システム
１  ＲＩＳ
２  モダリティ
２ａ  ＣＴ装置
２ｂ  ＣＲ装置
２ｃ  ＭＲＩ装置
３  検像装置
４  ＰＡＣＳ
５  画像表示装置
３１  ＣＰＵ
３２  入力部
３３  表示部
３４  通信部
３５  ＲＡＭ
３５１  検査オーダ情報領域
３５２  画像領域
３６  記憶部
３６１  表示用変換テーブル
３６２  検像待ち画像記憶部
３６４  表示用変換テーブル
３７  バス
Ｎ  通信ネットワーク
【図１】
2007116898.tif 000003
【図２】
2007116898.tif 000004
【図３】
2007116898.tif 000005
【図４】
2007116898.tif 000006
【図５Ａ】
2007116898.tif 000007
【図５Ｂ】
2007116898.tif 000008
【図６】
2007116898.tif 000009
【図７】
2007116898.tif 000010
【図８Ａ】
2007116898.tif 000011
【図８Ｂ】
2007116898.tif 000012
【図８Ｃ】
2007116898.tif 000013
【図８Ｄ】
2007116898.tif 000014
【図９】
2007116898.tif 000015
【国際調査報告】
2007116898.tif 000016
2007116898.tif 000017